(57)【要約】      （修正有）【課題】膨張玩具を安全に楽しむことができるトイボックスを提供する。【解決手段】本考案のトイボックスは、容器本体１と膨張玩具２からなる。その容器本体は密封した形態で、透明の外側ケース１１によって内部収納空間１２が形成されていて、膨張玩具が収納できるようになっている。また、容器本体の外側ケースには、入水口１３があって、水を入れるようになっている。膨張玩具がある程度膨張すると、水を入水口から捨てる。膨張玩具が容器本体内に置かれているので、乳幼児が誤って玩具を口に入れることがなく安全である。また、容器の背景は、シールや装飾物によって変化させることが可能である。 【選択図】図３
0003101801.tif 000002
【実用新案登録請求の範囲】
【請求項１】
容器本体及び膨張玩具からなり、その容器本体には、密封状態で透明の外側ケースと、中に水を入れるようになった内部収納空間があって、膨張玩具は、容器本体の内部収納空間に入れられ、容器本体の外側ケースには入水口があって、水を注ぎ入れるようになっていて、膨張玩具がある程度膨張したら、水を入水口から捨てるようになったトイボックス。
【請求項２】
膨張玩具が容器本体内の外側ケース底部上方に固定されている、請求項１に記載のトイボックス。
【請求項３】
膨張玩具が容器本体内の外側ケース内壁に固定されている、請求項１に記載のトイボックス。
【請求項４】
膨張玩具が直接容器本体内の内部収納空間に収納されていて、容器本体の外側ケースに固定されていない、請求項１に記載のトイボックス。
【請求項５】
膨張玩具が直接容器本体の内部収納空間に置かれていて、容器本体の外側ケースには固定されていず、膨張玩具の底部の位置に比重の高い重りが取り付けてある、請求項１に記載のトイボックス。
【請求項６】
容器本体の外側ケース表面に装飾シールが張ってある、請求項１に記載のトイボックス。
【請求項７】
容器本体の内部収納空間及び膨張玩具の周囲に装飾物がある、請求項１に記載のトイボックス。
【考案の詳細な説明】
【技術分野】
【０００１】
本考案はトイボックスに関する。本考案のトイボックスは、吸水膨張玩具をその中に入れ、膨張後の玩具を容器の中に置くことにより、安全におもちゃを楽しむための容器である。
【背景技術】
【０００２】
図１を参照いただきたい。従来の膨張玩具１０は、使用しないときは単純な形態で体積も小さいため、乳幼児が誤って口に入れるという事件が発生する危険がある。さらに、この膨張玩具は胃の中で膨張するため、外科的手術によって取り出す必要が生じる。故に、このような膨張玩具１０は市場で徐々に淘汰されつつある。図２を参照いただきたい。従来の膨張玩具１０は使用時に、コップ３０の中に入れて、さらにそのコップ３０内に水４０を入れて、ある程度時間が経過して膨張玩具１０に水を吸収させると、元の数倍に膨張して大きくなる（膨張玩具２０）。しかしながら、このような膨張玩具２０は、水を吸って膨張するまで時間がかかる。一般的には、３６時間してから水を捨てる。時間が長すぎると、膨張玩具２０は変形し、水にふやける。この時、乳幼児が口に入れても危険であると考えられる。
【考案の開示】
【考案が解決しようとする課題】
【０００３】
本考案が解決使用とする課題は、膨張玩具を安全に楽しむことができるトイボックスを提供することにある。
【課題を解決するための手段】
【０００４】
本考案のトイボックスは、容器本体と膨張玩具からなる。その容器本体は密封した形態で、透明の外側ケースによって内部収納空間が形成されているため、膨張玩具が収納できるようになっている。また、容器本体の外側ケースには、入水口があって、水を入れるようになっている。膨張玩具がある程度膨張すると、水を入水口から捨てる。膨張玩具が容器本体内に置かれているので、乳幼児が誤って玩具を口に入れることがなく安全である。また、容器の背景は、シールや装飾物によって変化させることが可能である。
【０００５】
請求項１に記載のトイボックスは、容器本体及び膨張玩具からなり、その容器本体には、密封状態で透明の外側ケースと、中に水を入れるようになった内部収納空間があって、膨張玩具は、容器本体の内部収納空間に入れられ、容器本体の外側ケースには入水口があって、水を注ぎ入れるようになっていて、膨張玩具がある程度膨張したら、水を入水口から捨てるようになっていることを特徴とする。
【０００６】
請求項２に記載のトイボックスは、上記請求項１において、膨張玩具が容器本体内の外側ケース底部上方に固定されていることを特徴とする。
【０００７】
請求項３に記載のトイボックスは、上記請求項１において、膨張玩具が容器本体内の外側ケース内壁に固定されていることを特徴とする。
【０００８】
請求項４に記載のトイボックスは、上記請求項１において、膨張玩具が直接容器本体内の内部収納空間に収納されていて、容器本体の外側ケースに固定されていないことを特徴とする。
【０００９】
請求項５に記載のトイボックスは、上記請求項１において、膨張玩具が直接容器本体の内部収納空間に置かれていて、容器本体の外側ケースには固定されていず、膨張玩具の底部の位置に比重の高い重りが取り付けてあることを特徴とする。
【００１０】
請求項６に記載のトイボックスは、上記請求項１において、容器本体の外側ケース表面に装飾シールが張ってあることを特徴とする。
【００１１】
請求項７に記載のトイボックスは、上記請求項１において、容器本体の内部収納空間及び膨張玩具の周囲に装飾物があることを特徴とする。
【考案の効果】
【００１２】
本考案のトイボックスは、膨張玩具を容器本体内に入れて、容器内で直接水分を吸収させて膨張させるようになっている。そして、容器内に入れたまま鑑賞するので安全性が高い。
また、本考案のトイボックスは、容器本体と膨張玩具を組み合わせている。膨張玩具は容器本体内で変化する上、容器本体に背景や装飾物を追加することができ、あたかも膨張玩具が容器本体内で成長するかのように見えて、おもしろさが倍増するという特長がある。
さらに、本考案のトイボックスは、可動式の膨張玩具でも、固定式の膨張玩具でも組み合わせることが可能である。膨張玩具の形が変化することを利用し、膨張玩具の一部を容器本体の底部あるいは側部に固定して、あるいは、膨張玩具を動く状態にして、トイボックスの中で生き生きと活発に動くという効果が生まれる。
【考案を実施するための最良の形態】
【００１３】
図３及び図４を参照いただきたい。本考案のトイボックスは、容器本体１及び膨張玩具２からなる。容器本体１は、密封状態で透明の外側ケース１１と、中に水を入れるようになった内部収納空間１２がある。また、容器本体１の外側ケース１１には、入水口１３があって、水を入れるようになっている。入水口１３にはキャップ１３１が取り付けられていて、入水口１３にふたをする。使用時には、まず水３を入水口１３から注入し、膨張玩具２がある程度膨張したら、水３を入水口１３から捨てる。膨張玩具２は容器本体１内に収納されているので乳幼児が誤って口に入れることがない。
【００１４】
本考案のトイボックスは、製造時に、膨張玩具２をあらかじめ容器本体１内部に入れておく。膨張玩具２は、一部を容器本体内の底部あるいは側部に固定してもよいし、動く状態にしておいてもよい。いずれも、膨張玩具が生き生きと見え、活発に動くという効果がある。
【００１５】
上述の膨張玩具２は水が注がれる前は、体積が小さい。膨張玩具２の主成分はポリエチレンPEと膨張粉末である。したがって、膨張玩具２が水３と出会うと、数時間後に膨張玩具２’はどんどん膨らんで、体積が数倍になる（図４を参照いただきたい）。
【００１６】
図５を参照いただきたい。象の形をした膨張玩具２’は容器本体１の底部上方に固定されている。そして、外側ケース１１の内壁にはてんとうむしの形をした膨張玩具２’’が固定されていて、装飾効果を加えている。外側ケース１１には柵状の装飾シール４が張ってあり、全体の美感を高めている。
【００１７】
図６を参照いただきたい。乳牛の形をした膨張玩具２’が容器本体１底部上方に固定されている。そして、外側ケース１１には柵状の装飾シール４が張ってある。
【００１８】
図７を参照いただきたい。この実施例では、膨張玩具２’が観賞魚の形をしている。膨張玩具２’は直接容器本体１の内部収納空間１２に置かれていて、容器本体１１の外側ケース１１には固定されていない。膨張玩具２’に、直立する方向性をもたせるために、膨張玩具２’底部の位置に比重の高い重り２０’が取り付けてあるので、膨張玩具２’が水中で成長し、水中を泳ぐ時、むやみにひっくり返ることがない。また、外側ケース１１外部表面には、水草の形の装飾シール５が組み合わせてある。
【００１９】
図８を参照いただきたい。これは、昆虫の形をした膨張玩具２’が容器本体１底部上方に固定されている。容器本体１は篭の形態をした装飾シール６が組み合わせてある。あたかも虫かごに昆虫が入れてあるかのような効果がある。
【００２０】
図９を参照いただきたい。これは、鳥篭のような容器本体１’の内部の内部収納空間１２’に、鳥の形をした膨張玩具２’が置かれている。外側ケース１１’外部には、ウッドハウスや鳥の巣の形式の装飾シール７が張ってある。さらに、装飾シール７には、適当な位置に窓があって、中に入っている膨張玩具２’が成長する様子を鑑賞できるようになっている。外側ケース１１’上方には、入水口１３’及びキャップ１３１’があり、入水口１３’から水を注ぎ入れ、膨張玩具２’がある程度膨張したら、入水口１３’から水を捨てるようになっている。
【００２１】
図１０を参照いただきたい。このトイボックスは、単独で使用する以外に、容器本体１’にペン９を結合させることも可能である。容器本体１’は犬小屋の形をしていて、外側ケース１１’外部にウッドハウスの形式の装飾シール８が張ってある。内部収納空間１２’に収納してある膨張玩具２’は一匹の犬である。膨張玩具２’が水を吸って膨張したら、入水口１３’から水を捨て、キャップ１３１’で入水口１３’にふたをする。
【００２２】
また、上述のトイボックス以外にも様々な形状が考えられる。例えば、図１１に示した容器本体１’’は、その形状が平たい円形の瓶である。内部には、膨張玩具２及び水を入れるようになった内部収納空間１３’’がある。この容器本体１’’には入水口１１’’があり、この入水口１１’’にはキャップ１２’’があって、しっかりとふたをするようになっている。容器本体１’’の内部収納空間１３’’の入水口１１’’から水を入れると、膨張玩具２は吸水する。数時間経つと、膨張玩具２’は膨張して大きくなり、入水口１１’’から水を捨てる。そして、膨張玩具２’は瓶１’’を通して鑑賞する玩具となる。さらに、膨張後の玩具２’は瓶１’’内に充満して、乳幼児は簡単に手に取ることができないので安全である。
【００２３】
図１２を参照いただきたい。この実施例は、容器本体１０’の外側ケース１０１’内部の内部収納空間１０２’内、及び、膨張玩具２’周囲に、装飾物３’がある。そして、装飾物３’は、膨張玩具２’の形態によって組み合わせることが可能である。そして、この容器本体１０’の外側ケース１０１’には、入水口１０３’があって、水を注ぎ入れるようになっている。膨張玩具２’がある程度膨張した後、入水口１０３’から水を捨てる。
【図面の簡単な説明】
【００２４】
【図１】従来の膨張玩具の立体図である。
【図２】従来の膨張玩具を使用した状態を示した図である。
【図３】本考案のトイボックスの、容器本体内に膨張玩具を入れた様子を示した外観立体図である。
【図４】本考案のトイボックスの中の膨張玩具が膨張した後の様子を示した立体図である。
【図５】本考案のトイボックスに装飾用シールを組み合わせ、2種類の膨張玩具を入れた立体図である。
【図６】本考案のトイボックスに装飾用シールを組み合わせ、乳牛の形の膨張玩具を入れた見取り図である。
【図７】本考案のトイボックスに装飾用シールを組み合わせ、魚の形の膨張玩具を入れた見取り図である。
【図８】本考案のトイボックスに装飾用シールを組み合わせ、昆虫の形の膨張玩具を入れた見取り図である。
【図９】本考案のトイボックスに装飾用シールを組み合わせ、鳥の形の膨張玩具を入れた見取り図である。
【図１０】本考案のトイボックスにペンを組み合わせた実施例の見取り図である。
【図１１】本考案のトイボックスを瓶形の容器にした実施例の立体図である。
【図１２】本考案のトイボックスの容器本体の内部に装飾物を配置した実施例の立体図である。
【符号の説明】
【００２５】
１０      膨張玩具
２０      膨張玩具
３０      コップ
４０      水
１        容器本体
１１      外側ケース
１２      内部収納空間
１３      入水口
１３１    キャップ
２、２’、２’’  膨張玩具
３        水
４、５、６、７、８  装飾用シール
３’      装飾物
９        ペン本体
１’      容器本体
１１’    外側ケース
１２’    内部収納空間
１３’    入水口
１３１’  キャップ
１’’      容器本体
１１’’    入水口
１２’’    キャップ
１３’’    内部収納空間
１０’      容器本体
１０１’    外側ケース
１０２’    内部収納空間    
１０３’    入水口
【図１】
0003101801.tif 000003
【図２】
0003101801.tif 000004
【図３】
0003101801.tif 000005
【図４】
0003101801.tif 000006
【図５】
0003101801.tif 000007
【図６】
0003101801.tif 000008
【図７】
0003101801.tif 000009
【図８】
0003101801.tif 000010
【図９】
0003101801.tif 000011
【図１０】
0003101801.tif 000012
【図１１】
0003101801.tif 000013
【図１２】
0003101801.tif 000014